Podtech/llm-jp-corpus-v4-ja_patent huggingface dataset:
(57)【要約】【課題】  堆肥化設備は、有機物の撹拌を積極的に行い、好気性発酵を促進して堆肥化を行なう設備であるが、長い敷き藁の多い畜舎廃棄物では敷き藁が絡まり、運転の継続が困難であり、また、家庭用の生ごみ処理機は定期的に微生物培養床を交換する必要があった。そこで、長い敷き藁が混入しても安定した運転が可能で、堆肥の一部が種堆肥として循環して好気性発酵が継続し、家庭用生ごみ処理機にも応用できる堆肥化設備を提供する。【解決手段】  畜舎廃棄物等の原材料供給ホッパ下部のスクリューコンベヤに一定間隔で切断刃を取り付け、供給された原材料を供給ホッパ喉部の固定刃とによって、一定間隔で切断しながら副資材及び種堆肥と共に混合撹拌室に送り、空気の供給を受けながら撹拌することにより好気性発酵を促進し、原材料及び副資材を堆肥化する。その一部を種堆肥として戻し発酵を継続する。【選択図】図１
2007191377.tif 000002
【特許請求の範囲】
【請求項１】
スクリューコンベヤに切断刃を一定間隔で取付け、原材料供給ホッパ喉部にこれに相対する固定刃を設けることによって、原材料を一定の長さで切断しながら移送することができる搬送手段を備えることを特徴とし、原材料に種堆肥及び必要により副資材を混合して搬送手段で混合撹拌室に移送し、送風しながら撹拌羽根で混合撹拌することで好気性発酵により原材料の堆肥化を促進して、短期間に良質な堆肥を製造することが可能な堆肥化設備。
【請求項２】
発酵済み堆肥の一部を搬送手段及び撹拌羽根の推進力で種堆肥として戻し、原材料及び副資材と混合撹拌して堆肥化が連続してできることを特徴とする堆肥化設備、並びに家庭用生ごみ処理機。
【発明の詳細な説明】
【技術分野】
【０００１】本発明は、畜舎廃棄物等の原材料と副資材及び種堆肥を混合撹拌して好気性発酵により堆肥化する堆肥化設備、及び家庭用生ごみ処理機に関する。
【背景技術】
【０００２】堆肥化設備は、原材料を積極的に撹拌し好気性微生物による有機物の分解（以下発酵という）で堆肥化を行っており、堆肥化した一部を種堆肥として戻している。（例えば、特許文献１参照）また、家庭用生ごみ処理機では種堆肥の代わりに好気性菌を接種した微生物培養床と生ごみを撹拌し、発酵したものを定期的に排出している。（例えば、特許文献２参照）【０００３】以下図４、図５により従来の堆肥化設備、及び家庭用生ごみ処理機について説明する。図４において、畜舎廃棄敷材（以下敷料という）２１は、投入コンベヤ２２により密閉型槽２３の棚板２４上に投入され、均し板２５のついた掻き均し手段２６で高さが均一化される。敷料は発酵済みの循環物と混合されており、容易に発酵する。棚板は定期的に反転し、敷料は下部切り返し手段２７Ａ〜２７Ｅ上に落下する。この時に切り返しが行われ、微生物は新たな空気と接触し発酵が促進される。これを繰り返し下部の送り手段２８により排出され、一部が種堆肥として循環する。【０００４】図５において、生ごみは蓋３１を開けて微生物培養床３２の中に投入され、撹拌羽根３３で撹拌され微生物の働きによって有機物が分解される。それらを一定期間毎に外箱下方部３４を開けて破棄袋３５に排出する。【０００５】
【特許文献１】特開２００４−１２３４３４号公報
【特許文献２】特開平７−２５１１４８号公報
【発明の開示】
【発明が解決しようとする課題】
【０００６】堆肥化設備は、有機物の撹拌を積極的に行い、好気性発酵を促進して堆肥化する設備であるが、長い敷き藁の多い畜舎廃棄物等の原材料では敷き藁が機械に絡まり、運転の継続が困難である。家庭用生ごみ処理機では微生物培養床の定期的な交換が必要である。敷き藁の多い原材料においても敷き藁が機械に絡まることなく安定した運転が可能で、堆肥の一部を種堆肥として循環し、好気発酵の継続が可能であり、微生物培養床の交換が不要で家庭用の生ごみ処理機にも応用できる堆肥化設備を提供する。
【課題を解決するための手段】
【０００７】畜舎廃棄物等の原材料供給ホッパ下部に、一定間隔で切断刃を取り付けたスクリューコンベヤを設け、供給された原材料を供給ホッパ喉部の固定刃とによって、一定間隔で切断しながら必要により用いる副資材及び種堆肥と共に混合撹拌室に送る。混合撹拌室で送風設備から空気の供給を受けながら撹拌することにより発酵を促進し、原材料及び副資材を堆肥化する。堆肥化した一部を搬送手段及び撹拌羽根の推進力で種堆肥として原材料供給部に戻すことで循環を継続し、種堆肥以外を製品堆肥として利用する。
【発明の効果】
【０００８】敷き藁の多い原材料でも敷き藁が絡まることなく安定した運転が可能で、堆肥化した一部を搬送手段及び撹拌羽根の推進力で種堆肥として原材料供給部に戻すことで循環供給し、好気発酵の継続が可能な堆肥化設備を提供できる。また、小型化することで家庭用の生ごみ処理機としても提供できる。
【発明を実施するための最良の形態】
【０００９】以下、本発明の実施の形態を図１〜図３に基づいて説明する。【００１０】図において、原材料供給ホッパ１及び副資材供給ホッパ２の下部に一定間隔で切断刃３の付いたスクリューコンベヤ４を設け、原材料供給ホッパ下端喉部にこれに相対する切断受刃５を設けることで、スクリューコンベヤの回転により一定の長さで原材料を切断しながら副資材と種堆肥６を共に混合撹拌室７に移送する。原材料は一定の長さで切断されるため機械に絡まる事故がない。スクリューコンベヤは混合撹拌室に向かってピッチが次第に大きくなっており、回転に伴って受入れと運搬を同時に連続的に行う。原材料と副資材及び種堆肥は混合撹拌室で送風装置８から空気の供給を受けながら撹拌羽根９ａ及び撹拌羽根９ｂで撹拌され、発酵が促進されて堆肥１０となる。副資材は必要に応じて使用し、省略することも可能である。堆肥の一部を搬送手段であるスクリューコンベヤ及び撹拌羽根の推進力で種堆肥に戻す。これにより安定した発酵が連続して継続できる。種堆肥以外の堆肥は製品堆肥１１として利用する。混合撹拌室上部から排出される空気は脱臭装置１２によって臭気が取り除かれた後、大気に放散される。電動機１３は駆動チェーン１４によって動力を伝達し、スクリューコンベヤ及び撹拌羽根を回転する。家庭用生ごみ処理機においては、蓋１５を開けて原材料である生ごみを供給ホッパに投入後、蓋を閉じて臭気の拡散を防止する。
【図面の簡単な説明】
【００１１】
【図１】全体の構成を示す模式図
【図２】図１をＡ方向から見たＢの位置の断面図
【図３】家庭用生ごみ処理機の模式図
【図４】従来の堆肥化設備の例
【図５】従来の家庭用生ごみ処理機の例
【符号の説明】
【００１２】１原材料供給ホッパ
２副資材供給ホッパ
３切断刃
４スクリューコンベヤ
５切断受刃
６種堆肥
７混合撹拌室
８送風装置
９撹拌羽根
１０堆肥
１１製品堆肥
１２脱臭装置
１３電動機
１４駆動チェーン
１５蓋
２１畜舎廃棄敷材
２２投入コンベヤ
２３密閉型槽
２４棚板
２５均し板
２６掻き均し手段
２７切り返し手段
２８送り手段
３１蓋
３２微生物培養床
３３撹拌羽根
３４外箱下方部
３５破棄袋
【図１】
2007191377.tif 000003
【図２】
2007191377.tif 000004
【図３】
2007191377.tif 000005
【図４】
2007191377.tif 000006
【図５】
2007191377.tif 000007
(57)【要約】【課題】  従来既存の化粧用バージンオリーブオイルは、スキンケア用オイルとして最も安心して使用出来るものであった。しかしいま生活環境の急激な変化で肌のトラブル、特に乾燥肌対策は、女性にとって大きな課題になっている。その中でバージンオリーブオイルの良さを失うことなくさらに保湿や肌荒れに効果を発揮する化粧用油が要望されている。【解決手段】  オリーブ果実から採れるバージンオリーブオイルに、そのバージンオイルの中にごく微量含まれる有効成分スクワレンを抽出し精製したスクワランをさらにバージンオリーブオイルにプラスアルファとして配合することで、肌荒れやエモリエント効果をさらにアップさせることを可能にした。【特許請求の範囲】
【請求項１】
本発明は、オリーブの果実から絞られた化粧用のバージンオリーブオイルに、本来その中に含まれる微量有効成分であるスクワレンを精製したスクワランをさらに配合した化粧用オイルである。
【発明の詳細な説明】
【技術分野】
【０００１】  本発明は、広く女性に愛用されているオリーブの果実から絞られた化粧用のバージンオリーブオイルに、その微量成分であるスクワレンを精製し安定させたスクワランをさらに配合した化粧用オイルに関するものである。
【背景技術】
【０００２】  バージンオリーブオイルは、６０００年前から主に地中海地方沿岸に住む人々に食用または美容用に広く使われてきた世界で唯一の果実から採れるオイルである。【０００３】  現在バージンオリーブオイルは、肌の健康を健やかに整える安全な化粧用オイルとして多くの女性に愛用されている。【０００４】  バージンオリーブオイルには、年齢を重ねるごとに遅くなるターンオーバーを正常に整え、弾力のあるみずみずしい素肌を保つ為に必要な、ビタミンやスクワレンなどの有効成分が、天然のまま豊富に含まれている。なかでも含有量の多いビタミンＥやオレイン酸・ポリフェノールなどは、肌の老化の原因「酸化」を防ぐ、優れた抗酸化成分として知られ、これらの有効成分が滞りがちな新陳代謝を整え、艶やかでハリのある、うるおい豊かな素肌をつくる。【０００５】  バージンオリーブオイルの成分は、一価不飽和脂肪酸であるオレイン酸が主体であり、それは不飽和脂肪酸でありながら多価不飽和脂肪酸に比べて酸化しにくい性質がある。また、油脂としての成分の他にも、α−トコフェロール、β−カロチンやポリフェノールのような天然の抗酸化物質が豊富に含まれている。酸化しにくい不飽和脂肪酸であるオレイン酸が成分の主体である上に、天然の多種の抗酸化物を含むことで、バージンオリーブオイルは、活性酸素（フリーラジカル）から素肌の健康を守ることになる。【０００６】  バージンオリーブオイルに含まれる天然の有効微量成分は、ビタミンＡ・Ｂ・Ｅ、葉緑素、カロチン、ポリフェノール、スクワレンなどとなっている。【０００７】  なかでもスクワレンはオリーブオイルの中に、わずか０．１〜０．７％しか含まれていない大変希少価値の高い成分である。
またもともとスクワレンは、人間の皮脂の中に含まれ細胞に酸素を運ぶ役割を果たしているもので、年齢とともに減少し皮膚の老化を招く原因となる。【０００８】  成分として不安定なスクワレンを精製し安定化した状態にしたものがスクワランである。ここでは、オリーブ果実から抽出された植物性のスクワランである。【０００９】  油脂研究の第一人者、辻本満丸博士によって発表されたスクワランの５大作用は以下の通りである。
浸透作用。粒子が非常に細かいので皮膚の奥深くまで素早く浸透。つけた後もべたつかず、サラッとした使用感。
活性作用。肌細胞のすみずみまで栄養分や酸素を供給し、うるおい豊かな、ハリのあるつややかな肌を保つ。
代謝作用。肌細胞の生まれ変わり、新陳代謝を正常に整え、みずみずしい肌へと導く。代謝が整うことにより、老廃物や老化角質も無理なく取り除く。
殺菌作用。外部からの細菌や、細胞の働きを妨げる細菌に対して優れた殺菌作用が認められている。細菌や刺激物質から肌を守る。
親和作用。人間の皮膚にも含まれているスクワレンは皮膚の細胞に馴染んでアレルギー反応を起こしにくいので、敏感肌の方にも安心して使用可能である。【００１０】  大阪市立大学医学部の臨床データによるとスクワレンにより乾燥性皮膚疾患（アトピー含む）の約９０％以上に改善があったと発表されている。
【発明の開示】
【発明が解決しようとする課題】
【００１１】  従来既存の化粧用バージンオリーブオイルは、スキンケア用オイルとして最も安心して使用出来るものであった。しかしいま生活環境の急激な変化で肌のトラブル、特に乾燥肌対策は、女性にとって大きな課題になっている。その中でバージンオリーブオイルの良さを失うことなくさらに保湿や肌荒れに効果を発揮する化粧用油が要望されている。【００１２】  本発明は、このような問題を解決しようとするものであり、オリーブ果実から採れる天然そのままの化粧用オイルという基本的な考え方をさらに発展させたものである。
【課題を解決するための手段】
【００１３】  オリーブ果実から採れるバージンオリーブオイルに、そのバージンオイルの中にごく微量含まれる有効成分スクワレンを抽出し精製したスクワランをさらにバージンオリーブオイルにプラスアルファとして配合することで、肌荒れやエモリエント効果をさらにアップさせることを可能にした。
【発明の効果】
【００１４】  本発明により、プラス配合したスクワランの働きで従来の化粧用バージンオリーブオイル以上に皮膚への浸透性に優れ、さらに本来のバージンオリーブオイルに含まれている各種の栄養分とあわせて皮膚の新陳代謝を促進し、潤いのある本来の健康的な素肌づくりに役立つものと考えられる。【００１５】  以下本発明の化粧用オイルの主な効果を再度記述する。【００１６】  皮膚の奥まで深く浸透し、潤いとハリを与え、つやのある肌をつくる。【００１７】  皮膚の細胞の発育を促進させ、肌を健康に回復させる。【００１８】  皮膚の水分を守り、しっとりとした肌をつくる。【００１９】  古くなった角質をとり、みずみずしい肌をつくる。【００２０】  皮膚に対して刺激が少なく、アレルギー反応を起こしにくい。
【本発明を実施するための最良の形態】
【００２１】  オリーブ果実から絞り精製した化粧用バージンオリーブオイルに、オリーブオイルの中の微量有効成分スクワレンを精製したオリーブスクワランを配合（約３０％〜５０％）し精製する。
(57)【要約】      （修正有）【課題】男性自身の圧迫感を覚えたり、発汗による股間の皮膚が密着することにより乾燥しずらく、皮膚病になりやすい状況をつくるという不具合を解決する。【解決手段】パンツの前側部分に、二重構造にする、男性用健康パンツを提供する。前側の内部面に開口部を設け外部面に小便用の開口部４を有するもので、内部面と外部面３の間に男性自身を収めることにより男性自身の圧迫感を取り除くとともに、股間の皮膚の密着面積を減少することにより、皮膚病の原因のひとつである漆器を防止する。【選択図】図２
2007191838.tif 000002
【特許請求の範囲】
【請求項１】
パンツの前側部分を二重構造にし、内部面に開口部を設け、外部面に小便用の開口部を有することを特徴とする。
【発明の詳細な説明】
【技術分野】
【０００１】  本発明は、男性用健康パンツに関するもので、パンツ前側部分を二重構造にし、内面と外部面の間に男性自身を収めることにより、男性自身の圧迫感を防止するとともに、股間の皮膚の接触が減少することにより、皮膚病予防に貢献できるようにした。
【背景技術】
【０００２】  従来のパンツは、小便用の開口部のみの二重あわせ構造のものがある。
【特許文献１】  わからない。
【非特許文献１】  わからない。
【発明の開示】
【発明が解決しようとする課題】
【０００３】  しかし、従来のパンツは、男性自身の圧迫感を覚えるものや、発汗により股間の皮膚が密着することにより乾燥しずらく、皮膚病になりやすい状況をつくるという不具合を解決することを課題とする。
【課題を解決するため手段】
【０００４】  この課題を解決するための請求項１の発明は、パンツの前側部分を二重構造にすることを特徴とする、男性用健康パンツである。前側の内部面に開口部を設け外部面に小便用の開口部を有するもので、内部面と外部面の間に男性自身を収めることにより男性自身の圧迫感を取り除くとともに、股間の皮膚の密着面積を減少することにより、皮膚病の要因のひとつである湿気を防止する。
【発明の効果】
【０００５】  本発明により、男性自身の圧迫感や股間の皮膚の密着という不具合はおきず、快適な履き心地が得られ健康的である。
【発明を実施するための最良の形態】
【０００６】  図１は、前側部分の内部面の正面図で、開口部を設けることにより外部面との間に男性自身を収めることができる。【０００７】  図２は、前側部分の外面部の正面図で、小便用の開口部を有しマジックテープを設ることにより、外部面の脱着により男性自身を収めるスペースを調整可能とした。【０００８】  前側部分を、内部面と外部面を設けることにより二重構造とし、男性自身を収めるスペースを作ることにより、圧迫感を取り除き、皮膚の密着面積を減少させることができる。【０００９】  これらの、パンツの材料や形は季節やヒップアップなど用途にあわせ選択する。
【産業上の利用可能性】
【００１０】  本発明に係る男性用健康パンツは、工業的に量産することが可能であるため産業上の利用可能性を有する。
【図面の簡単な説明】
【００１１】
【図１】  二重構造の内部面の正面図である。
【図２】  二重構造の外部面の正面図である。
【図３】  本体の断面図である。
【符号の説明】
【００１２】  １    内部面
２    内部面の開口
３    外部面
４    小便用開口部
５    内部面取付用マジックテープ
６    外部面取付用マジックテープ
【図１】
2007191838.tif 000003
【図２】
2007191838.tif 000004
【図３】
2007191838.tif 000005
(57)【要約】      （修正有）【課題】  簡単にウエストサイズを小さくしたい時に、器具を用いて簡単にタックをつくるウエスト調節器具を提供する。【解決手段】弾力性からなる扁平状の基部（１）の下部に、スカ−ト、ズボン等のウエスト部を詰めるために形成された輪状体を差し込むための切れ込み（５）を介して端片（２）と中央片（３）を延設する。切れ込み（５）に差し込まれた輪状体を差し込んで引っ掛ける為に、切れ込み（５ａ）（５ｂ）（５ｃ）（５ｄ）を介して調節片（４）（４ａ）（４ｂ）（４ｃ）を中央片（３）に併設した構成で針と糸を使用しないで調整可能で、必要に応じて元のサイズに戻せるウエスト調節器具の提供。【選択図】図１
2007191837.tif 000002
【特許請求の範囲】
【請求項１】
弾力性からなる扁平状の基部の下部に、スカ−ト、ズボン等のウエスト部を詰めるために形成された輪状体を差し込む為の切れ込みを介して、端片と中央片を延設し、前記切れ込みに差し込まれた前記輪状体を差し込んで引っ掛ける為に、切れ込みを介して前記中央片に併設された少なくとも一つの調節片とからなることを特徴とするウエスト調節器具。
【発明の詳細な説明】
【技術分野】
【０００１】本発明は針と糸、安全ピンを使わずに、サイズを小さくしたい分を輪にして、器具の差し込むことにより簡単にスカ−トのウエストサイズを小さくするウエスト調節器具に関するものである。
【背景技術】
【０００２】従来、ウエストサイズを小さくする時は、安全ピンで止める、又は、針と糸をつかいベルト芯をほどきダ−ツを深くとりサイズの調整をしていた。
【発明が解決しようとする課題】
【０００３】  そのために、次のような問題点があった。安全ピンを使うと、動いているうちに、ピンが外れて危なかった。また、針と糸を使ってサイズを詰めるのは面倒で手間がかかった。本発明は以上の問題点を解決しようとするものである。
【課題を解決するための手段】
【０００４】  弾力性からなる扁平状の基部の下部に、スカ−ト、ズボン等のウエスト部を詰めるために形成された輪状体を差し込むための切れ込みを介して端片と中央片を延設し、前記切れ込みに差し込まれた前記輪状体を差し込んで引っ掛ける為に、切れ込みを介して前記中央片に併設された少なくとも一つの調節片とからなることを特徴とするウエスト調節器。
【発明の効果】
【０００５】  本発明は、ウエストの調節を針や糸、安全ピンをつかわずに、小さくする分のウエスト部分の布を摘まみ輪にして、挟み込み輪を広げて固定する簡単なウエスト調節器具である。はずせば、元のウエストサイズになり、器具をつけたまま洗濯もできる手間いらずのウエスト調節器具である。
【発明を実施するための最良の形態】
【０００６】  以下、本発明の実施の形態について説明する。
（イ）弾力性からなる扁平状の基部（１）の下部に、スカ−ト、ズボン等のウエスト部を詰めるために形成された輪状体を差し込むための切れ込み（５）を介して端片（２）と中央片（３）を延設する。
（ロ）切れ込み（５）に差し込まれた輪状体を差し込んで引っ掛ける為に、切れ込み（５ａ）（５ｂ）（５ｃ）（５ｄ）を介して調節片（４）（４ａ）（４ｂ）（４ｃ）を中央片（３）に併設する。
以上の構成からなることを特徴とするウエスト調節器具である。
本発明を使用するときは、上記のウエスト調節器具を小さくしたいウエストに分量だけ輪にした輪状体を切れ込み（５）に挟み込み、輪状体の先端部を調節片（４）に引っ掛ける。もう少し小さくしたいときは、調節片（４ａ）（４ｂ）（４ｃ）に引っ掛けて調節する。
この結果、布がはずれることもなく、ウエストを調節し、針と糸を使わないため器具をはずせば、元のサイズに戻すことができる。
【図面の簡単な説明】
【０００７】
【図１】  本発明の斜視図
【図２】  本発明の使用状態を示す図（ａ）はスカ−ト及びサイズを詰めたい衣類を、裏返しにしてベルトの部分に２の端片の切れ込みに詰めたい長さサイズを挟み込んだ状態を示す図。（ｂ）は挟み込んで輪になったベルト部分を、３中央片にいれこみ、その際詰めたい長さサイズに合わせて３中央片か４調節片及び４ａ、４ｂ、４ｃいずれかを選びサイズを決めたら輪の部分を広げながら５ａ、５ｂ、５ｃ、５ｄに差し込んだ状態を示す図。（ｃ）は（ａ）（ｂ）の操作により２端片と１基部上部およびベルト部分詰めたい長さ部分により４の調節片および４ａ、４ｂ、４ｃ、４ｄがウエストベルト表面上に見える状態を示す図。（ｄ）はスカ−ト及びサイズを詰めたい衣類を表側に戻しみると、ウエスト調節器具が介すことにより表側に詰めたい長さサイズ詰められてタックとして表れた状態を示す図。
【符号の説明】
【０００８】１    基部
２    端片
３    中央片
４，４ａ、４ｂ、４ｃ、調節片
５、５ａ、５ｂ、５ｃ、５ｄ    切れ込み
６    ウエストベルト
７    裏地
８    タック
９    表地
【図１】
2007191837.tif 000003
【図２】
2007191837.tif 000004
(57)【要約】      （修正有）【課題】  柱に対する外力の負荷がアンカーボルトに集中することなく、総じて耐久的な接合装置を提供する。【解決手段】  基板１の上下両面に互いに同軸上にして上下の接合杆２，３を突設して接合金具Ａを構成する。また、土台Ｂに設けた凹陥部６に設けた縦穴７に前記下接合杆３を嵌挿して前記凹陥部６に係合した前記基板１を、前記土台Ｂを載置した基礎コンクリートＣ側から前記土台Ｂを貫通させたアンカーボルト９とこれに螺合したナット１０によって前記土台Ｂに締付ける。そして、下端面に設けた係合溝１１に前記ナット１０を係合して前記基板１上に立設した柱Ｐと、該柱Ｐに嵌挿した前記上接合杆２を固定杆１４で互いに止着する。【選択図】図１
2007191869.tif 000002
【特許請求の範囲】
【請求項１】
基板の上下両面に互いに同軸上にして上下の接合杆を突設して接合金具を構成し、土台に設けた凹陥部に縦穴を設け、該縦穴に前記下接合杆を嵌挿して前記凹陥部に係合した前記基板を、前記土台を載置した基礎コンクリート側から前記土台を貫通させたアンカーボルトとこれに螺合したナットによって前記土台に締付けると共に、下端面に設けた係合溝に前記ナットを係合して前記基板上に立設した柱と、該柱に嵌挿した前記上接合杆を固定杆で互いに止着した、柱と土台の接合装置。
【発明の詳細な説明】
【技術分野】
【０００１】
本発明は、木造建物に適用する柱と土台の接合装置に関するものである。
【背景技術】
【０００２】
基礎コンクリートに立設したアンカーボルトを、前記基礎コンクリート上に載置した土台と該土台上に重ね合わせた接合板を貫通させ、接合板より突出する該アンカーボルトの先端にナットを螺合して前記土台と接合板を前記基礎コンクリートに締め付けると共に、前記接合板を柱の下面に設けたスリットに嵌挿し、該接合板と前記柱を、柱の側面から打ち込んだ止着杆（ドリフトピン）で互いに接続した構造のものがある（例えば、特許文献１）。
【０００３】
【特許文献１】特開平８−１８４０６２号公報
【発明の開示】
【発明が解決しようとする課題】
【０００４】
前記従来構造のものは、柱の軸線位置に配したアンカーボルトを利用して柱と土台を基礎コンクリートに接合するという意味合いでは、強度的に優れた接合装置を構成するものであるが、柱に負荷される外力は、結局のところ、アンカーボルトに集中する構成を採るため、耐久的に問題がある。
【０００５】
本発明は、従来例の斯様な欠点に着目し、柱に対する外力の負荷がアンカーボルトに集中することなく、総じて耐久的な接合装置を提供することを目的として創案したものである。
【課題を解決するための手段】
【０００６】
基板の上下両面に互いに同軸上にして上下の接合杆を突設して接合金具を構成し、土台に設けた凹陥部に縦穴を設け、該縦穴に前記下接合杆を嵌挿して前記凹陥部に係合した前記基板を、前記土台を載置した基礎コンクリート側から前記土台を貫通させたアンカーボルトとこれに螺合したナットによって前記土台に締付けると共に、下端面に設けた係合溝に前記ナットを係合して前記基板上に立設した柱と、該柱に嵌挿した前記上接合杆を固定杆で互いに止着した、構成とするのである。
【実施例】
【０００７】
図面は、本発明に係る柱と土台の接合装置の実施例を示し、図１は一部欠截正面図、図２は図１のａ−ａ線断面図、図３は柱を省略して示した平面図、図４は第二実施例の一部欠截正面図、図５は図４のｂ−ｂ線断面図、図６は第二実施例の、柱を省略して示した平面図である。
【０００８】
本発明は接合金具Ａを用いて基礎コンクリートＣ上に載置した土台Ｂと該土台Ｂ上に立設した柱Ｐを接合して構成する。
【０００９】
接合金具Ａは、平面視正方形状の基板１の上下両面の中央に互いに同軸上にして上下の接合杆２，３を突設して構成し、基板１には前記接合杆２，３を介して一対の透孔４，４を前記土台Ｂの長手方向に沿う中央にして設け、上接合杆２に上下の関係においては互いに９０度に位置をずらせた第二透孔５，５，５を設けたもので、実施例の接合金具Ａは基板１と成る平面視方形状の金属板の中央に通し孔を設け、該通し孔に上下の接合杆３，４を構成する丸い金属管を嵌挿して組合わせ、該金属管と前記金属板を互いに熔着して形成したものであるが、実施例の形成手段を採ることは必ずしも必要としない。
【００１０】
この接合金具Ａの前記基板１と一致する形状、大きさにして、基板１の厚さと一致する深さの凹陥部６を前記土台Ｂの上面の適所に設け、該凹陥部６の中央にして土台Ｂに設けた縦穴７に、接合金具Ａの前記下接合杆３を嵌挿する一方、基板１に設けた前記透孔４に基礎コンクリートＣ側から土台Ｂに設けた貫通孔８を貫通させたアンカーボルト９を貫通させるようにして前記基板１を前記凹陥部６に係合せしめ、基板１より突出するアンカーボルト９の先端にナット１０を螺合して接合金具Ａを土台Ｂに締付けてある。
【００１１】
この土台Ｂに締付けた接合金具Ａの基板１上には、下端面に設けた係合溝１１に前記ナット１０（該ナット１０を螺合したアンカーボルト９の上端部は勿論）を係合するようにして前記柱Ｐを立設し、該柱Ｐと、柱Ｐの軸線上に設けた接合穴１２に嵌挿した接合金具Ａの前記上接合杆２を、柱Ｐに設けた貫通孔１３と上接合杆２側の前記第二透孔５に固定杆１４を嵌挿するようにして互いに止着して実施例装置としたものである。
【００１２】
第一実施例は、アンカーボルト９に螺合したナット１０と凹陥部６の底面６ａとの間にアンカーボルト９，９間において互いに別体の、平板状の座金１５を配してナット１０の緩みを防ぐようにしたものである。
【００１３】
第二実施例は、第一実施例の座金１５に対応する、一対の平板状の座金部１６ａ，１６ａをコの字形の連結枠１６ｂで接続した座金枠１６の座金部１６ａを、ナット１０と凹陥部６の底面６ａとの間に配し、ナット１０の緩み止めとする一方、連結枠１６ｂの水平部片１６ｂ´の透孔１７に前記上接合杆２を貫通させることにより柱Ｐ側から上接合杆２に負荷される荷重が基板１との接続部のみに集中することなく分散され、接合強度を増大させることができる。
【図面の簡単な説明】
【００１４】
【図１】一部欠截正面図。
【図２】図１のａ−ａ線断面図。
【図３】柱を省略して示した平面図。
【図４】第二実施例の一部欠截正面図。
【図５】図４のｂ−ｂ線断面図。
【図６】第二実施例の、柱を省略して示した平面図。
【符号の説明】
【００１５】
１      基板
２      上接合杆
３      下接合杆
６      凹陥部
７      縦穴
９      アンカーボルト
１０    ナット
１１    係合溝
１４    固定杆
【図１】
2007191869.tif 000003
【図２】
2007191869.tif 000004
【図３】
2007191869.tif 000005
【図４】
2007191869.tif 000006
【図５】
2007191869.tif 000007
【図６】
2007191869.tif 000008
(57)【要約】【課題】  連続紙用印刷装置は、用紙終端検出センサが印刷用紙中の綴じ穴を検出した場合、用紙終端を誤検出することがあった。【解決手段】  印刷を実行する印刷機構部と、用紙搬送手段と、印刷機構部を制御する印刷制御部と、用紙終端を検出する用紙終端検出センサと、不揮発性記憶素子と、表示装置と、１ドットずつ用紙送りを行なう手段を有する印刷装置において、印刷用紙中の綴じ穴の距離を算出する手段と、当該距離を不揮発性記憶素子に記憶する手段とを設けたことを特徴とする。【選択図】  図１
2007191285.tif 000002
【特許請求の範囲】
【請求項１】
印刷を実行する印刷機構部と、用紙搬送手段と、印刷機構部を制御する印刷制御部と、用紙終端を検出する用紙終端検出センサと、不揮発性記憶素子と、表示装置と、１ドットずつ用紙送りを行なう手段を有する印刷装置において、印刷用紙中の綴じ穴の距離を算出する手段と、当該距離を不揮発性記憶素子に記憶する手段とを設けたことを特徴とする用紙終端検出装置。
【発明の詳細な説明】
【技術分野】
【０００１】
本発明は、印刷用紙として連続紙を使用する印刷装置における用紙終端検出装置に関する。
【背景技術】
【０００２】
用紙終端の検出は、用紙終端検出センサが印刷用紙中の綴じ穴を検出した場合、用紙終端を誤検出することを防ぐため、用紙終端検出センサが作動した直後、一定量の前進紙送りと後退紙送りを実行し用紙終端であるか否かを判断させていた。これを図２を用いて説明する。
【０００３】
図２において、２０１は印刷用紙、２０２は用紙終端を検出する用紙終端検出センサ、２０３は印刷用紙中の綴じ穴である。
【０００４】
用紙終端の検出は、図の状態から印刷紙送りを開始し、用紙終端検出センサ２０２が用紙終端あるいは用紙中の綴じ穴２０３を検出したか否かを判断するため、用紙終端検出センサ２０２が作動した直後、印刷制御部の用紙送り手段を起動して一定量の前進紙送りを実行し、用紙終端検出センサ２０２上の印刷用紙２０１の有無を確認し、前記実行した前進紙送りと同一量の後退紙送りを実行し、印刷用紙の終端あるいは用紙中の綴じ穴を検出したか否かを判断させていた。
【０００５】
【特許文献１】特開昭６３−１８５７５１号公報
【発明の開示】
【発明が解決しようとする課題】
【０００６】
上記従来技術においては、印刷用紙中の綴じ穴２０３の大きさによっては用紙終端を誤検出することがあった。本発明は、用紙終端の誤検出を防止することを目的とする。
【課題を解決するための手段】
【０００７】
上記目的は、印刷を実行する印刷機構部と、用紙搬送手段と、印刷機構部を制御する印刷制御部と、用紙終端を検出する用紙終端検出センサと、不揮発性記憶素子と、表示装置と、１ドットずつ用紙送りを行なう手段を有する印刷装置において、印刷用紙中の綴じ穴の距離を算出する手段と、当該距離を不揮発性記憶素子に記憶する手段とを設けることにより達成される。
【発明の効果】
【０００８】
本発明によれば、印刷用紙中の綴じ穴の距離をドット単位で算出し、当該距離を不揮発性記憶素子に記憶し、当該距離を用紙終端センサが作動した時に実行される用紙送り手段に反映することで用紙終端の誤検出を防止することができる。
【発明を実施するための最良の形態】
【０００９】
以下、図１、図３及び図４を参照して本発明を説明する。
【００１０】
図１は、本発明の一例のブロック図を示す。図１において、１０１は印刷を実行する印刷機構部、１０２は用紙終端を検出する用紙終端検出センサ、１０３は表示装置、１０４は印刷機構部を制御する印刷制御部、１０５は１ドットずつ用紙送りを行なう用紙送り手段、１０６は用紙中の綴じ穴のドット数をカウントする綴じ穴量算出手段、１０７は用紙終端検出センサが作動した時に用紙送りを行なう終端用紙送り手段、１０８は不揮発性記憶素子、１０９は用紙中の綴じ穴の距離を不揮発性記憶素子に記憶する記憶手段、１１０は用紙中の綴じ穴の距離を不揮発性記憶素子から読み出す読み出し手段である。
【００１１】
用紙終端の調整は、印刷用紙を用紙終端検出センサ１０２の上流側に１頁以上設置し、用紙送り手段１０５を実行して１ドットずつ用紙送りを開始する。印刷用紙が移動し用紙終端検出センサ１０２が用紙中の綴じ穴を検出した場合、綴じ穴量算出手段１０６を実行し用紙送りドット数のカウントを開始する。継続して１ドットずつの用紙送りを行い印刷用紙の綴じ穴が用紙終端検出センサ１０２を完全に通過した直後、用紙送り手段１０５を停止し１ドットずつの用紙送りを終了し、同時に綴じ穴量算出手段１０６を終了し用紙送りドット数のカウントを停止する。カウントしたドット数は記憶手段１０９により不揮発性記憶素子１０８に記憶させる。
【００１２】
上記の調整を行なうことにより、通常の印刷動作においては、読み出し手段１１０により印刷用紙中の綴じ穴の距離を不揮発性記憶素子１０８から読み出し、当該距離を用紙終端検出センサ１０２が作動した時に実行される終端用紙送り手段１０７の用紙送り量へ反映することで、印刷用紙中の綴じ穴を用紙終端と誤検出することを防止できる。
【００１３】
図３は、用紙終端の調整に使用する操作パネルの一例である。図３において、３０１は表示装置、３０２〜３１０はスイッチを示す。
【００１４】
図４は、用紙終端の調整におけるヒューマンインターフェースの一例である。図４において、表示欄４０１は図１の表示装置１０３および３０１上の表示例であり、４０２は当該手段の内容である。
【００１５】
このインターフェースにおいて、用紙終端の調整を行なう場合には、準備完スイッチ３０４を押下することにより、用紙送り手段１０５から記憶手段１０９までの一連の手段を実行し、印刷用紙中の綴じ穴の距離を自動的に算出することができる。
【図面の簡単な説明】
【００１６】
【図１】本発明の一例を示すブロック図。
【図２】印刷用紙と用紙終端検出センサの関係を示す概略図。
【図３】本発明における表示装置の一例を示す平面図。
【図４】本発明におけるヒューマンインターフェースの一例を示す概略図。
【符号の説明】
【００１７】
１０１  印刷機構部
１０２  用紙終端検出センサ
１０３  表示装置
１０４  印刷制御部
１０５  用紙送り手段
１０６  綴じ穴量算出手段
１０７  終端用紙送り手段
１０８  不揮発性記憶素子
１０９  記憶手段
１１０  読み出し手段
２０１  印刷用紙
２０２  用紙終端検出センサ
２０３  印刷用紙中の綴じ穴
３０１  表示装置
３０２〜３１０  スイッチ
４０１  パネル表示
４０２  パネル表示内容
【図１】
2007191285.tif 000003
【図２】
2007191285.tif 000004
【図３】
2007191285.tif 000005
【図４】
2007191285.tif 000006
(57)【要約】【課題】  プラスチック発泡材は断熱性に富み、新鮮野菜や鮮魚等の輸送箱として使用されているが、遮熱性は余り無く、長時間の輸送では輸送物が劣化や腐食を起こし鮮度保持が難しいという問題があった。【解決手段】  プラスチック発泡材で出来た輸送箱の蓋や容器の壁面の片面又は両面或いは間に、アルミホイル等輻射熱に対して高反射率の素材を取り付けた遮熱断熱プラスチック発泡輸送ボックス。【選択図】図１
2007191212.tif 000002
【特許請求の範囲】
【請求項１】
プラスチック発泡材で出来た輸送箱の蓋及び容器の壁面の片面又は両面に、アルミホイル等輻射熱に対して高反射率の素材を取り付けた遮熱断熱プラスチック発泡輸送ボックス。
【請求項２】
プラスチック発泡材で出来た輸送箱の蓋及び容器を、各々内箱と外箱の二重構造とし、その内箱と外箱の間にアルミホイル等輻射熱に対して高反射率の素材を取り付けた遮熱断熱プラスチック発泡輸送ボックス。
【発明の詳細な説明】
【技術分野】
【０００１】  本発明は、プラスチック発泡材で出来た輸送箱の、遮熱断熱性を向上させた遮熱断熱プラスチック発泡輸送ボックスを提供するものである。
【背景技術】
【０００２】  プラスチック発泡材で出来た輸送ボックスの蓋及び容器の内外面の片面又は両面或いは間に、アルミホイル等輻射熱に対して高反射率の素材を取り付け、遮熱断熱性を向上させたものはこれまで提供されていない。
【発明の開示】
【発明が解決しようとする課題】
【０００３】  プラスチック発泡材は、断熱性に富んでいる為、新鮮野菜や鮮魚等輸送箱として広範囲に使用されている。しかし、新鮮野菜や鮮魚等は輻射熱による影響を受けやすく、長時間保存しておくと輸送物が腐食や劣化をおこし、鮮度保持は難しいという問題があった。特に、夏場は直射日光に当たると輸送物の劣化は甚だしく、短時間に鮮度低下を起こす事が多い。又、冬場は、冷輻射により輸送物が凍結すると言う問題もあった。
本発明は、この問題を解決しようとするものである。
【課題を解決する為の手段】
【０００４】  上記問題を解決する為本発明は、プラスチック発泡材で出来た輸送箱の蓋及び容器の壁面の片面又は両面に、アルミホイル等輻射熱に対して高反射率の素材を取り付けた遮熱断熱プラスチック発泡輸送ボックスとしたもので、他の実施例として、プラスチック発泡材で出来た輸送箱の蓋及び容器を、各々内箱と外箱の二重構造とし、内箱と外箱の間にアルミホイル等輻射熱に対して高反射率の素材を取り付けたものである。
【発明を実施するための最良の形態】
【０００５】  以下、本発明を実施をするため最良の形態について説明する。
輸送物には、大気より直接輸送箱を透してしまう輻射熱と、一度輸送箱に当たり熱を発し二次輻射熱として照射されるものがある。これら輻射熱は、輸送物に照射され熱を発する事となり、輸送物の劣化が進行することになる。この影響は、輸送箱の壁より伝わる伝導熱より大きい。従って、この輻射熱を減少させない限り、輸送物の鮮度保持は難しい事となる。
本発明、この輻射熱を減少させる為、アルミホイル等輻射熱に対して高反射率の素材を、輸送箱の蓋や容器の両外壁面の片面又は両面或いは間に取り付けたものである。アルミホイル等輻射熱に対して高反射率の素材は、大気より照射される輻射熱の大半を侵入面側に反射してしまうばかりか、容器内よりの輻射熱をも容器内に跳ね返す性能を持っている。
従って、外部よりの熱は容器内には取り込まれず、又内部の熱も逃げないこととなる。
図１は、プラスチック発泡材で出来た容器や蓋の壁面の両面に、アルミホイル等輻射熱に対して高反射率の素材を取り付けたものである。容器外面にアルミホイル等輻射熱に対して高反射率の素材を取り付ける事により、外部よりの輻射熱は殆ど反射され容器内への熱影響は大幅に減少される。内部も同様で、内部より発生する輻射熱は内側に反射される為、内部の温度は保持される事となる。
図２は、プラスチック発泡材で出来た容器や蓋の壁面の間に、アルミホイル等輻射熱に対して高反射率の素材を取り付けたものである。プラスチック発泡材が内外面に露出していると、輻射熱がプラスチック発泡材に当たり熱を発するので、図１よりは性能は低下する。しかし、容器や蓋の壁面の間にアルミホイル等高反射率の素材があるので、反射面の破損が無く、箱を繰り返し使用しても安定した性能を得ることが出来る。
図３は、プラスチック発泡材で出来た輸送箱の容器及び蓋の壁面を、内箱と外箱を分離したものである。性能は、図２と同様である。この場合、アルミホイル等輻射熱に対して高反射率の素材は、内箱と外箱の間に挟まれていればよく、プラスチック発泡材とアルミホイル等輻射熱に対して高反射率の素材の分離がし易く、材料のリサイクルがしやすいという利点がある。
【発明の効果】
【０００６】  アルミホイル等輻射率に対して高反射率の素材は、両面から来る輻射熱の大半を侵入面側に反射してしまう為、容器壁面を通過する熱量を大幅に減少することになる。従って、容器の外部又は内部よりの熱移動は少なくなり、高遮熱高断熱の輸送箱とする事ができる。
夏場は、外部よりの熱影響を殆ど受けない為、鮮魚等の輸送では氷の使用量を減らす事が出来る。逆に、冬場凍結等を防止したい輸送物にも対応可能である。
箱内部の温度変化が殆どないので、弁当等の保温を目的とした輸送物にも最適である。
野菜や生花等通気が必要な輸送物の場合は、箱に穴を開けて使用しても若干の対流熱は入るものの遮熱効果はあるので、充分な効果を得ることができる。
いずれの工法も遮熱断熱効果が高いので、容器の壁面の厚みも薄くする事ができる。
又、湿気を全く透さない事、内部の温度変化が少ない事等の利点を生かし、衣服等の保存等にも使用可能である。
更に、アルミホイル等輻射熱に対して高反射率の素材は熱に強い為、容器や蓋の外側に取り付けると耐火性をも向上させる事となる。
【図面の簡単な説明】
【０００７】
【図１】プラスチック発泡材で出来た輸送箱の蓋や容器の壁面の両側に、アルミホイル等輻射熱に対して高反射率の素材を取り付けた輸送箱の断面図である。
【図２】プラスチック発泡材で出来た輸送箱の蓋や容器の壁面の間に、アルミホイル等輻射熱に対して高反射率の素材を取り付けた輸送箱の断面図である。
【図３】プラスチック発泡材で出来た輸送箱の蓋や容器を内箱と外箱に分離し、内箱と外箱の間にアルミホイル等輻射熱に対して高反射率の素材を取り付けた輸送箱の断面図である。
【符号の説明】
【０００８】１アルミホイル等
２輸送箱蓋
３輸送箱容器
４輸送箱蓋外箱
５輸送箱蓋内箱
６輸送箱容器内箱
７輸送箱容器外箱
【図１】
2007191212.tif 000003
【図２】
2007191212.tif 000004
【図３】
2007191212.tif 000005
(57)【要約】【課題】従来、缶飲料は温めなおすには中身を別の容器に入れ替え加熱するか専用の過熱保温機を利用するかまたは鍋等にお湯を張りその中に缶飲料を入れて加熱するので不便だった。しかし、本発明は一般的な暖房器具で缶飲料を加熱することができるので便利である。【解決手段】ストーブ等暖房器具に取り付けられるような缶ホルダー（２）を作り、それをストーブ等暖房器具の格子に金具（２）を引っ掛けるだけで缶飲料を加熱することができるのが特徴である。【選択図】図１
2007191214.tif 000002
【特許請求の範囲】
金属、プラスティックからなる構成物
【請求項１】
ストーブ等暖房器具の温風吹き出し口に装着し缶飲料を温める缶ホルダー。
【発明の詳細な説明】
【発明の詳細な説明】
この発明は缶飲料をストーブ等の暖房器具の吹き出し口に装着し缶飲料を温めるための缶ホルダーに関するものである。
従来、冷めた缶飲料を温めなおしたり又は温かいままの温度を維持したりするには中身を別の容器に入れて加熱したり缶飲料を温水の中に浸けたりする必要があった。
本発明は、その欠点を除くためになされたものである。
ストーブ等の暖房器具前面にある格子に引っ掛けるだけで温かい缶飲料を飲むことができる。それを図面にて説明すれば、１缶または２缶以上の缶飲料を支えるための金属またはプラスティックで作られたホルダーにストーブ等暖房器具の格子に引っ掛けるための金具を取り付けたと言うものである。
並べる缶飲料の向きは横に寝かしたり、飲み口を開封したものでも温める事ができるように立てても使用することができる。
本発明はこのような構造であるからストーブ等暖房器具にホルダーを引っ掛けるための格子があればいつでもどこでも使用することができる。
【図面の簡単な説明】
【図１】  本発明の斜視図である。１はストーブ等暖房器具の格子に引っ掛けるための金具。２．は缶飲料ホルダー。
【図１】
2007191214.tif 000003
(57)【要約】【課題】従来の白玉粉は、袋詰めで販売されており斬新さがなく、また水の使用量が、あいまいなため、ちょうど良い硬さに練るのに、時間がかかった。【解決手段】目盛つきペット・ボトルに入れることにより、空きボトルを水の計量カップとして再利用する。【特許請求の範囲】
【請求項１】
白玉粉および食用粉類のペット・ボトル詰め
【発明の詳細な説明】
【技術分野】
【０００１】本発明は、食品産業における白玉粉、および食料粉類のペット・ボトル詰めに関する。
【背景技術】
【０００２】現在いろいろな粉があり全て袋詰めである。【０００３】一度、封を開くと保存のとき、開口部を輪ゴムで閉めるか折り曲げたりして保存する。【０００４】開口部が汚れる。置くときは、横に寝かせる。使用分量がわからない。
【発明の開示】
【発明が解決しようとする課題】
【０００５】入れ物を変えることにより、粉のイメージを一新し、簡単に取り出しでき、使用量がわかり、キャップをする事で清潔にでき、立てて置かれることを目的とする。
【課題を解決するための手段】
【０００６】そして、本発明は上記目的を達成する為に，ペット・ボトル詰めとする【０００７】ボトルに目盛をつけることにより、使用量がわかり又清潔に保存できる。
【発明の効果】
【０００８】本発明のペット・ボトル詰めは、白玉粉および食料粉類のイメージを一新し、現代風にすることにより、使いやすく清潔に保存できる。
【手続補正書】
【提出日】平成18年4月27日(2006.4.27)
【手続補正１】
【補正対象書類名】特許請求の範囲
【補正対象項目名】請求項１
【補正方法】変更
【補正の内容】
【請求項１】
白玉粉の目盛付ペット・ボトル詰め
【手続補正２】
【補正対象書類名】明細書
【補正対象項目名】全文
【補正方法】変更
【補正の内容】
【発明の詳細な説明】
【技術分野】
【０００１】本発明は、食品産業における白玉粉のペット・ボトル詰めに関する。
【背景技術】
【０００２】現在白玉粉はほとんど袋詰めであり、古めかしい感がある。【０００３】食育の大切さが叫ばれており、親子で作る料理で白玉粉は最適な材料である。【０００４】水の使用加減が難しいため、練り具合が硬めだったり軟らかめだったりで、ちょうどよい硬さにするまで時間がかかる。
【発明の開示】
【発明が解決しようとする課題】
【０００５】子供から大人まで、誰でも失敗なく簡単に白玉粉が練れ料理できることを目的とする。
【課題を解決するための手段】
【０００６】そして、本発明は上記目的を達成するために、ペット・ボトル詰めとする。【０００７】ボトルに目盛を付けることにより、空きボトルを水の計量カップとして使う。
【発明の効果】
【０００８】本発明のペット・ボトル詰めは、誰でも失敗なく簡単に白玉粉を練ることができ、白玉粉の色、形を視覚に訴えることもできる。
また親子のねんど工作として食育に役立つものである。
(57)【要約】      （修正有）【課題】従来のＥＴＣ車載器の取り付けにはカーステレオ等の配線から電源の取出しには構造も複雑でパネル・オーディオ等を外すのに時間や手間が掛かっていた。【解決手段】電源供給をシガーソケットに変更することにより電源をシガライターから取り、ＥＴＣ車載器の取り付け取り外し作業が簡単になり、盗難防止、再利用にも効果的です。【選択図】図１
2007191131.tif 000002
【特許請求の範囲】
【請求項１】
電源をシガライターからとる簡単取り付けを特徴とするＥＴＣ車載器シガープラグ取り付けキット
【請求項２】
前記ＥＴＣ車載器シガープラグ取り付けキットは電源の供給をシガライターからにすることにより配線をまとめシガーソケットにすることを特徴とする請求項１記載のＥＴＣ車載器シガープラグ取り付けキット
【発明の詳細な説明】
【技術分野】
【０００１】  この発明は、ＥＴＣ車載器の電源をシガライターから取る簡単取り付けに関する。
【背景技術】
【０００２】  従来のＥＴＣ車載器の取り付けはカーステレオ等の配線から電源の取出しには構造も複雑でパネル・オーディオ等を外すのに時間が掛かっていたが図１に示すように電源供給をシガライターに変更したものである。
【発明の開示】
【発明が解決しようとする課題】
【０００３】しかしながら、以上の技術によれば、複雑構造のパネル・オーディオを外すのに時間や手間が掛かっていた。そこで、この発明は、ＥＴＣ車載器の電源をシガライターから取り簡単取り付けを提供することを課題とする。
【課題を解決するための手段】
【０００４】  以上の課題を解決するために、第一発明は、電源供給をシガーソケットに変更することを特徴とするＥＴＣ車載変換シガープラグ取り付けキットである。また、第二発明によればパネル・カーステレオを外すことなく、簡単に取り付け作業ができ、取り外しも簡単で盗難防止にも効果的で使わないときには取り外しができ邪魔にもなりません。車両買い替え時などの再利用にも効果的です。＊再利用の場合、車種が異なり再セットアップが必要である。
【発明の効果】
【０００５】  第一発明、または第二発明によれば、ＥＴＣ車載器の取り付け取り外し作業が簡単になり、盗難防止、再利用にも効果的です。
【発明を実施するための最良の形態】
【０００６】  この発明の一実施形態を、図１に示す。
ＥＴＣ車載器の供給電源のバッテリー電源とアース線をシガーソケットに変更されている。【０００７】「実施形態の効果」
この実施形態によれば、図１−４シガーソケットで電源をシガライターから供給ができ車内のパネル・オーディオ等を外すことなく簡単に取り付けができる。【０００８】「他の実施形態」
図１の実施形態では、ヒューズを入れているが、他の実施形態では、図１−３ヒューズを省いても良い。配線色はバッテリー電源コード（黄色）、アクセサリー・ＡＣＣ（赤色）、アースコード（黒色）が望ましいがその限りでない。配線の末端は図−５ギボシ端子・図１−６クワガタ端子、図１−７ボルト・図−８ナットで固定しも良い。
【図面の簡単な説明】
【０００９】
【図１】この発明の一実施形態を示す斜視図である。
【図２】従来技術を示す斜視図である。
【符号の説明】
【００１０】１  ＥＴＣ本体    ２  電源コード    ３  ヒューズ    ４  シガーソケット
５  ギボシ端子    ６  クワガタ端子    ７  ボルト    ８  ナット
【図１】
2007191131.tif 000003
【図２】
2007191131.tif 000004
(57)【要約】【課題】  材料本来の比重をより軽くする材料の提供。【解決手段】  材料１の内部に、外気圧よりも低圧の空隙２を含ませることで、材料本来の比重よりも軽い材料を得ることが可能となる。【選択図】図１
2007186400.tif 000002
【特許請求の範囲】
【請求項１】
材料の内部に、外気圧よりも低圧の空隙を含ませ、材料の比重を本来よりも軽くした材料。
【請求項２】
請求項１を利用した飛行装置・建造物および重量軽減機器。
【発明の詳細な説明】
【技術分野】
【０００１】  本発明は、材料の重量を軽減し、重量の増加を避けることを目的とする材料である。
【背景技術】
【０００２】  従来の気泡を含む材料は、大気圧と同程度の圧力を持つ空隙を含ませており、重量軽減に寄与するものではなかった。
【発明が解決しようとする課題】
より大きな建造物や飛行装置を作るには、それに必要な材料およびその稼動エネルギーの増加は避けられなかった。
【課題を解決するための手段】
装置や器具を構成する材料の内部に、外気圧よりも低圧な空隙を含ませることにより、自身の比重を軽くすることを可能にする。
【発明を実施するための最良の形態】  本発明は、低圧の空隙を含ませた材料である。
図面について説明すれば、材料１は、外気圧よりも低圧な空隙２を含んでいる。
【図面の簡単な説明】
【図１】  空隙を含ませた材料内部の断面図である。
【符号の説明】
１    材料
２    低圧の空隙
【図１】
2007186400.tif 000003